(57)【要約】【課題】出先での電子プレゼンテーションを簡単かつ迅速に行うことができるようにする。【解決手段】映像表示装置４は、メモリカード５を挿入するためのメモリカード挿入口４０６０を備え、メモリカード５は、テキストファイルデータを記録することができる記録媒体であり、スクリーン３に表示すべきテキストファイルデータ等が、図示せぬパーソナルコンピュータ等を用いて予め記録されている。リモコン６は、赤外線等を用いて、映像表示装置４を遠隔操作することができるようになされており、映像表示装置４は、リモコン６の操作により、メモリカード５に記録されたテキストファイルデータを読み出し、スクリーン３に拡大投射表示する。【選択図】図１ 
2004139073.tif 000002
【特許請求の範囲】
【請求項１】
　所定の映像信号と所定のテキストファイルデータを同時に表示する表示制御装置であって、
　前記映像信号を入力する入力手段と、
　前記入力手段によって入力された前記映像信号に対応する映像表示信号を生成する第１の生成手段と、
　所定の記録媒体から前記テキストファイルデータを読み出す読み出し手段と、
　前記読み出し手段によって読み出された前記テキストファイルデータに対応する文字表示信号を生成する第２の生成手段と、
　前記第１の生成手段によって生成された前記映像表示信号と、前記第２の生成手段によって生成された前記文字表示信号とを入力し、前記映像表示信号および前記文字表示信号のいずれか一方を切り替えて出力する切り替え手段と、
　前記映像表示信号および前記文字表示信号のいずれか一方に対応する表示映像の所定の範囲内の領域に、他方に対応する表示映像が表示されるように、前記文字表示信号が表示されるべき文字表示領域では前記文字表示信号を出力し、前記文字表示領域外の領域では前記映像表示信号を出力するよう前記切り替え手段を制御する制御手段と
　を備えることを特徴とする表示制御装置。
【請求項２】
　所定の映像信号と所定のテキストファイルデータを同時に表示する表示制御方法であって、
　前記映像信号を入力する入力ステップと、
　前記入力ステップにおいて入力された前記映像信号に対応する映像表示信号を生成する第１の生成ステップと、
　所定の記録媒体から前記テキストファイルデータを読み出す読み出しステップと、
　前記読み出しステップにおいて読み出された前記テキストファイルデータに対応する文字表示信号を生成する第２の生成ステップと、
　前記第１の生成ステップにおいて生成された前記映像表示信号と、前記第２の生成ステップにおいて生成された前記文字表示信号とを入力し、前記映像表示信号および前記文字表示信号のいずれか一方を切り替えて出力する切り替えステップと、
　前記映像表示信号および前記文字表示信号のいずれか一方に対応する表示映像の所定の範囲内の領域に、他方に対応する表示映像が表示されるように、前記切り替えステップにおいて、前記文字表示信号が表示されるべき文字表示領域では前記文字表示信号が出力され、前記文字表示領域外の領域では前記映像表示信号が出力されるよう制御する制御ステップと
　を備えることを特徴とする表示制御方法。
【発明の詳細な説明】
【技術分野】
【０００１】
　本発明は、表示制御装置および表示制御方法に関し、特に、電子化された資料を表示させてプレゼンテーションを行う表示制御装置および表示制御方法に関するものである。
【背景技術】
【０００２】
　図１０は、従来の電子プレゼンテーションシステムの構成例を示している。同図に示すように、映像表示装置２とパーソナルコンピュータ（以下、パソコンという）１が接続され、パソコン１から出力される目的の資料のデータが、映像表示装置２に供給される。そして、映像表示装置２により、パソコン１から供給されたデータに基づいて、目的とする資料がスクリーン３に映像として順次表示される。従って、パソコン１を操作することにより、電子化された資料を映像表示装置２に順次表示させながらプレゼンテーションを行う、いわゆる電子プレゼンテーションを行うことができる。このような電子プレゼンテーションは、紙やＯＨＰなどの資料を使用したプレゼンテーションに比べて、より効果的なプレゼンテーションを行うことを目的として一般的に行われている。
【特許文献１】実公平０７−０５３１０２
【特許文献２】特開平０１−２３７５９２
【特許文献３】特開平０１−２４３０８８
【特許文献４】特開平０１−２５７９３５
【特許文献５】特開平０３−２０９２３０
【発明の開示】
【発明が解決しようとする課題】
【０００３】
　しかしながら、上記技術には、次のような問題点があった。第１の問題点は、必要機材の運搬や設置作業が面倒であるということである。一般的に、パソコンや映像表示装置などといった必要器材については、実際にプレゼンテーションを行う場所に運搬して接続作業を実施する場合が多く、この作業が負担になっている。その理由は、必要機材が多いということにある。
　第２の問題点は、すばやくプレゼンテーションに入れないということである。その結果、訪問先などで迅速なプレゼンテーションが求められる場合や、複数のオペレータが、それぞれ異なる資料を用いて異なるプレゼンテーションを交代で行う場合においては、プレゼンテーションに入るまでに時間がかかり、スムーズな進行の妨げになっている。その理由は、パソコンを立ち上げ、プレゼンテーションソフトを起動し、更に、電子化された資料を読み込んで表示させるという、プレゼンテーションに入る前の一連の作業に時間がかかるということにある。
　第３の問題点は、電子化された資料の作成が難しいため、電子プレゼンテーションを気軽に行うことができないということである。その理由は、資料の作成において、ある程度の知識が必要になるということにある。
【０００４】
　本発明はこのような状況に鑑みてなされたものであり、出先での電子プレゼンテーションを簡単に、かつ迅速に行うことができるようにするものである。
【課題を解決するための手段】
【０００５】
　請求項１に記載の表示制御装置は、所定の映像信号と所定のテキストファイルデータを同時に表示する表示制御装置であって、映像信号を入力する入力手段と、入力手段によって入力された映像信号に対応する映像表示信号を生成する第１の生成手段と、所定の記録媒体からテキストファイルデータを読み出す読み出し手段と、読み出し手段によって読み出されたテキストファイルデータに対応する文字表示信号を生成する第２の生成手段と、第１の生成手段によって生成された映像表示信号と、第２の生成手段によって生成された文字表示信号とを入力し、映像表示信号および文字表示信号のいずれか一方を切り替えて出力する切り替え手段と、映像表示信号および文字表示信号のいずれか一方に対応する表示映像の所定の範囲内の領域に、他方に対応する表示映像が表示されるように、文字表示信号が表示されるべき文字表示領域では文字表示信号を出力し、文字表示領域外の領域では映像表示信号を出力するよう切り替え手段を制御する制御手段とを備えることを特徴とする。
　請求項２に記載の表示制御方法は、所定の映像信号と所定のテキストファイルデータを同時に表示する表示制御方法であって、映像信号を入力する入力ステップと、入力ステップにおいて入力された映像信号に対応する映像表示信号を生成する第１の生成ステップと、所定の記録媒体からテキストファイルデータを読み出す読み出しステップと、読み出しステップにおいて読み出されたテキストファイルデータに対応する文字表示信号を生成する第２の生成ステップと、第１の生成ステップにおいて生成された映像表示信号と、第２の生成ステップにおいて生成された文字表示信号とを入力し、映像表示信号および文字表示信号のいずれか一方を切り替えて出力する切り替えステップと、映像表示信号および文字表示信号のいずれか一方に対応する表示映像の所定の範囲内の領域に、他方に対応する表示映像が表示されるように、切り替えステップにおいて、文字表示信号が表示されるべき文字表示領域では文字表示信号が出力され、文字表示領域外の領域では映像表示信号が出力されるよう制御する制御ステップとを備えることを特徴とする。
【発明の効果】
【０００６】
　本発明に係る表示制御装置および表示制御方法によれば、映像信号を入力し、入力された映像信号に対応する映像表示信号を生成し、所定の記録媒体からテキストファイルデータを読み出し、読み出されたテキストファイルデータに対応する文字表示信号を生成し、生成された映像表示信号と、文字表示信号とを入力し、映像表示信号および文字表示信号のいずれか一方を切り替えて出力し、映像表示信号および文字表示信号のいずれか一方に対応する表示映像の所定の範囲内の領域に、他方に対応する表示映像が表示されるように、文字表示信号が表示されるべき文字表示領域では文字表示信号が出力され、文字表示領域外の領域では映像表示信号が出力されるよう制御するようにしたので、テキストデータを記録した記録媒体を持ち運ぶだけで、出先での電子プレゼンテーションを簡単に、かつ迅速に行うことができる。
【発明を実施するための最良の形態】
【０００７】
　図１は、本発明の表示制御装置を応用した電子プレゼンテーションシステムの一実施の形態の構成例を示すブロック図である。同図に示すように、電子プレゼンテーションシステムを構成するプロジェクタ装置（映像表示装置）４は、メモリカード５を挿入するためのメモリカード挿入口４０６０を備えている。メモリカード５は、テキストファイルデータを記録することができる記録媒体であり、スクリーン３に表示すべきテキストファイルデータ等が、図示せぬパーソナルコンピュータ（以下、パソコンという）等を用いて予め記録されている。
【０００８】
　リモートコントロール装置（以下、リモコンという）６は、赤外線等を用いて、映像表示装置４を遠隔操作することができるようになされている。映像表示装置４は、リモコン６の操作により、メモリカード５に記録されたテキストファイルデータを読み出し、スクリーン３に拡大投射表示するようになされている。
【０００９】
　メモリカード挿入口４０６０にメモリカード５が挿入されると、映像表示装置４は、メモリカード５からテキストファイルデータを読み出し、読み出したテキストファイルデータを、対応するビットマップデータに変換し、スクリーン３上に投影する。
【００１０】
　メモリカード５は、フレキシブルディスクやハードディスクの場合と同様に、ファイル単位のリード・ライトが行なえ、可動部分がないため、衝撃に強く、またバックアップ用の電池を必要としないため、小型軽量で携帯性に優れた記録媒体として一般的である。
【００１１】
　テキストファイルデータは、文字コード以外の制御コードなどを含まない、純粋に文字コードだけで構成されるファイルデータのことであり、アスキーファイル、文章ファイルとも呼ばれ、その作成には、通常、エディタ・プログラムが使用されるが、ワードプロセッサなどのビジネスプログラムなどからも容易に作成することができる。
【００１２】
　図２は、図１に示した映像表示装置４の詳細な構成例を示すブロック図である。ここでは、映像表示装置４は、映像を拡大投射表示するプロジェクタ装置（ＰＪ）４であるものとする。
【００１３】
　ＰＪ４は、パソコンなどから映像信号が供給される映像入力端子４０２と、映像入力端子４０２から供給される映像信号を、Ａ／Ｄ変換処理し、デジタルの信号に変換する入力映像信号処理回路４０３と、入力映像信号処理回路４０３でデジタル化された映像信号が、表示出力すべき表示データとして格納される画像メモリ４０４と、画像メモリ４０４から表示データを逐次読み出し、表示出力する映像に対応する表示信号を生成する表示信号生成回路４０５と、メモリカード５のテキストファイルデータを再生表示するメモリカード再生装置４０６と、表示信号生成回路４０５から供給される表示信号と、メモリカード表示信号生成回路４０６５を介してメモリカード再生装置４０６から供給される表示信号のいずれか一方を、最終的な表示信号として切り替えて出力する表示信号切替回路４０７と、表示信号切替回路４０７から供給される表示信号に対応する映像を表示する映像表示部４０８と、プログラムデータが組み込まれ、制御バス４１３とデータバス４１４を介して、ＰＪ４の全回路の制御を行うＣＰＵ部４０９と、時刻検出が可能な時計回路４１０と、ＰＪ４のメモリの制御を行うメモリ制御回路４１１と、オペレータが操作するリモコン６からのコードデータを受信するリモコン受信回路４１２とから構成されている。
【００１４】
　また、映像表示部４０８は、一般的に、表示デバイス、光学レンズ、光源ランプなどからなり、表示デバイスとしては、液晶やＤＬＰ（Ｄｉｇｉｔａｌ　Ｌｉｇｈｔ　Ｐｒｏｃｅｓｓｉｎｇ）（反射型の素子ＤＭＤ（Ｄｉｇｉｔａｌ　Ｍｉｃｒｏｍｉｒｒｏｒ　Ｄｅｖｉｃｅ）を用いた高精細なフルデジタルディスプレイ）などのデバイスが使用されることが多く、表示デバイスの映像を拡大投写して表示する仕組みとなっている。
【００１５】
　メモリカード再生装置４０６は、メモリカード５をセットするときの挿入口となるメモリカード挿入口４０６０と、メモリカード挿入口４０６０にセットされたメモリカード５に対するデータの読み書きを制御するメモリカード制御回路４０６１より構成されている。
【００１６】
　また、映像表示装置４は、メモリカード５に記録されているテキストファイルデータを再生して表示出力すべき表示データを格納するメモリカード表示メモリ４０６２と、メモリカード５のテキストファイルデータを再生表示するときに、背面に表示するパターンデータを格納する壁紙メモリ４０６３と、メモリカード５のテキストファイルデータを再生表示するときに、所定の表示領域を指し示すポインタ表示を行うためのポインタのビットマップデータ（ポインタデータ）を格納するポインタメモリ４０６４と、メモリカード表示メモリ４０６２と、壁紙メモリ４０６３及びポインタメモリ４０６４から格納データを逐次読み出し、表示出力すべき表示信号を生成するメモリカード表示信号生成回路４０６５と、テキストファイルデータとして記録されている文字コードデータに対応した文字パターンデータを格納する文字フォントＲＯＭ４０６６と、背面に表示する数種類のパターンデータを格納する壁紙ＲＯＭ４０６７と、メモリカード５がセットされたことを検知するメモリカード検知回路４０６８とを有している。
【００１７】
　次に、その動作について説明する。オペレータからのＰＪ４への要求は、リモコン６を使用して行われることにする。リモコン６は、一般的なリモコンの場合と同様に、オペレータからの要求に応じて、その要求に対応するコードデータを送信する。リモコン６より送信されたコードデータは、リモコン受信回路４１２を経て、ＣＰＵ部４０９へ伝えられる。
【００１８】
　ＰＪ４は、通常、映像入力端子４０２から供給されるパソコンなどの外部機器からの映像信号を、スクリーン３に拡大投写して映像表示する。まず、そのＰＪ４の通常の動作について説明する。ＰＪ４において、映像入力端子４０２に供給された外部機器からの映像信号は、入力映像信号処理回路４０３へ供給される。この映像信号は、入力映像信号処理回路４０３において、Ａ／Ｄ変換処理され、アナログ信号からデジタル信号へ逐次変換される。
【００１９】
　デジタル信号化された映像信号は、逐次画像メモリ４０４に供給され、表示データとして格納される。従って、画像メモリ４０４に格納される格納データは、映像入力端子４０２に入力された映像信号がデジタル化された表示データによって逐次更新されることになる。更に、表示信号生成回路４０５により、画像メモリ４０４に格納された表示データが逐次読み出され、表示出力すべき映像としての表示信号が生成され、表示信号切替回路４０７に供給される。
【００２０】
　この場合、表示信号切替回路４０７は、事前にリモコン６などを使ったオペレータからの指示を受けたＣＰＵ部４０９の制御により、表示信号生成回路４０５から供給される表示信号を選択して映像表示部４０８へ供給するようになっているものとする。表示信号切替回路４０７は、選択した方の表示信号（今の場合、表示信号生成回路４０５からの表示信号）を映像表示部４０８へ供給する。これにより、スクリーン３に表示信号に対応する表示映像が拡大投写される。
【００２１】
　次に、メモリカード５に記録されたテキストファイルデータを再生表示するときの動作について説明する。オペレータは、メモリカード５をＰＪ４のメモリカード挿入口４０６０にセットする。このとき、電子プレゼンテーションに必要なテキストファイルデータは、パソコンなどで事前に作成され、メモリカード５に予め記録されているものとする。
【００２２】
　メモリカード検知回路４０６８は、メモリカード５がメモリカード挿入口４０６０にセットされたことを検知すると、そのことをＣＰＵ部４０９に通知する。この通知を受けたＣＰＵ部４０９は、メモリカード制御回路４０６１に対して、メモリカード５に記録されているテキストファイルデータを読み込むように命令する。この命令を受けたメモリカード制御回路４０６１は、メモリカード５に記録されているテキストファイルデータを、表示出力すべきデータとして読み込む。但し、メモリカード５に記録されているテキストファイルデータが複数ある場合、最も新しい時刻に記録されたテキストファイルデータを読み込むようにする。
【００２３】
　読み込んだテキストファイルデータは、ＣＰＵ部４０９に供給される。ＣＰＵ部４０９は、メモリカード制御回路４０６１より供給されたテキストファイルデータ、即ち、文字コードデータについて、文字フォントＲＯＭ４０６６を使って、一文字ずつ、対応する文字パターンデータに展開する。展開された個々の文字パターンデータは、メモリカード表示メモリ４０６２の表示出力すべき位置に対応するアドレスに表示データとして格納される。
【００２４】
　このとき、リターンコードまでが文字列の１行として扱われ、表示出力すべき位置が決定される。メモリカード表示信号生成回路４０６５においては、メモリカード表示メモリ４０６２に格納されている表示データが逐次読み出され、表示出力すべき映像としての表示信号が生成され、表示信号切替回路４０７に供給されるようになっている。
【００２５】
　このとき、表示信号切替回路４０７は、オペレータがリモコン６などを使って、事前に、ＰＪ４に対して、メモリカード５に記録されているテキストファイルデータをスクリーン３に表示するように指示を出していることにより、ＣＰＵ部４０９の制御により、メモリカード表示信号生成回路４０６５から供給される表示信号を選択的に映像表示部４０８に供給するように内部のスイッチが切り替えられているか、或いは、メモリカード検知回路４０６８が、メモリカード５がセットされたことを検知した段階で、ＣＰＵ部４０９の制御により、メモリカード表示信号生成回路４０６５から供給される表示信号を選択的に映像表示部４０８に供給するように内部のスイッチが切り替えられているものとする。
【００２６】
　その結果、表示信号切替回路４０７は、メモリカード表示信号生成回路４０６５から供給された表示信号を、映像表示部４０８へ供給する。映像表示部４０８は、表示信号切替回路４０７より供給された、メモリカード５から読み出されたテキストファイルデータを、再生表示映像として、スクリーン３へ拡大投写する。
【００２７】
　また、メモリカード表示信号生成回路４０６５は、壁紙メモリ４０６３からも文字表示の背面に表示すべきパターン（以下、壁紙表示という）に関する格納データを引き出し、出力表示すべき映像として、壁紙表示も含めた表示信号を生成する。
【００２８】
　壁紙メモリ４０６３には、ＣＰＵ部４０９により、壁紙ＲＯＭ４０６７から読み込まれた壁紙表示パターンが格納される。壁紙ＲＯＭ４０６７には、数種類の壁紙表示パターンが予め格納されており、壁紙ＲＯＭ４０６７に格納されている壁紙表示パターンを使って、壁紙メモリ４０６３の格納データを更新することにより、壁紙表示を変更することができるようになっている。
【００２９】
　さらに、メモリカード表示信号生成回路４０６５は、ポインタメモリ４０６４からポインタ表示に関する格納データを引き出し、出力表示すべき映像として、ポインタ表示も含めた表示信号を生成する。ポインタメモリ４０６４には、ＣＰＵ部４０９から供給されるポインタの表示情報、位置情報、及びビットマップ情報などのポインタデータが格納される。そして、このポインタデータを更新することにより、ポインタ表示を変更することができる。
【００３０】
　したがって、メモリカード表示信号生成回路４０６５では、表示出力する映像としてのデータの読み出し先を、メモリカード表示メモリ４０６２、壁紙ＲＯＭ４０６７、ポインタメモリ４０６４との間で高速に切り替えることが可能になっている。文字表示の背面、即ち文字表示部分以外の表示領域である場合には、壁紙メモリ４０６３から格納データを逐次読み出し、ポインタ表示領域である場合には、ポインタメモリ４０６４から格納データを逐次読み出すことができるようになっている。
【００３１】
　図３は、リモコン６の外観図を表している。オペレータは、リモコン６の各キーを押すことにより、各キーに対応した要求を送信することができる。リモコン６には、「電源」キー６０１、「入力切替」キー６０２、「前ファイル」キー６０３、「次ファイル」キー６０４、「フォント」キー６０５、「配置」キー６０６、「行間」キー６０７、「自動再生」キー６０８、「壁紙」キー６０９、「ポインタ」キー６１０、「上ページ」キー６１１、「次スライド」キー６１２、「下ページ」キー６１３、「前スライド」キー６１４、「上」キー６１５、「左」キー６１６、「右」キー６１７、及び「下」キー６１８が備えられている。
【００３２】
　各キーを押すと、リモコン６から各キーに対応するコードデータが送信され、ＰＪ４のリモコン受信回路４１２を経て、ＣＰＵ部４０９へ伝えられ、ＣＰＵ部４０９が、コードデータに従って各回路を制御することになる。
【００３３】
　次に、各キーを押すことによって制御することができる機能について説明する。「電源」キー６０１は、ＰＪ４の電源を入れたり切ったりすることができる。「入力切替」キー６０２は、複数ある映像入力信号からＰＪ４が表示する映像入力信号を選択することができる。「電源」キー６０１と「入力切替」キー６０２については、一般的な映像表示装置においても用いられ、映像表示装置本体にもボタンスイッチが用意されていることが多い。上記実施の形態の場合、「入力切替」キー６０２で、表示信号切替回路４０７が制御され、メモリカード表示信号生成回路４０６５から供給される表示信号にも切り替えることができる。
【００３４】
　「電源」キー６０１と「入力切替」キー６０２以外のキーは、表示信号切替回路４０７が、メモリカード表示信号生成回路４０６５から供給される表示信号を映像表示部４０８へ選択的に供給するように、内部のスイッチが切り替えられているとき、即ち、メモリカード５のテキストファイルデータがスクリーン３に再生表示されているときに有効となる。
【００３５】
　「次ファイル」キー６０４の操作により、再生表示対象となるテキストファイルデータを変更することができる。但し、メモリカード５に複数のテキストファイルデータが記録されていない場合は無効となる。「次ファイル」キー６０４が操作されると、ＣＰＵ部４０９は、メモリカード５に記録されているテキストファイルデータについて、メモリカード制御回路４０６１の読み込み動作により、その記録時刻を参照して、いま、表示対象となっているテキストファイルデータの次に新しい記録時刻になっているテキストファイルデータを読み込む。
【００３６】
　そして、読み込んだテキストファイルデータを、表示出力すべき表示データに変換した後、この表示データでメモリカード表示メモリ４０６２に格納されている格納データを更新する。即ち、「次ファイル」キー６０４が押される度に、スクリーン３に表示されるテキストファイルデータが記録時刻に関して降順に切り替えられていく。
【００３７】
　また、メモリカード５がメモリカード挿入口４０６０に挿入されたときには、記録時刻が最も新しいテキストファイルデータが再生表示されることから、メモリカード５に複数のテキストファイルデータがある場合、「次ファイル」キー６０４を操作することによって、記録時刻をもとに、再生表示対象となるテキストファイルデータが降順に切り替えられるようにすることができる。
【００３８】
　「前ファイル」キー６０３は、「次ファイル」キー６０４の動作とは反対に、再生表示対象となるテキストファイルデータを記録時刻に関して昇順に切り替えることができる。
【００３９】
　「フォント」キー６０５を操作することによって、再生されるテキストファイルデータの表示文字の大きさを変更することができる。「フォント」キー６０５を操作する毎に、図４に示したように、再生表示される文字の大きさが、「中」から「大」へ、「大」から「小」へ、「小」から「中」へと変更される。
【００４０】
　ＣＰＵ部４０９が、文字フォントＲＯＭ４０６６を使って、読み込んだ文字コードデータを一文字ずつ、対応する文字パターンデータに展開するとき、文字フォントＲＯＭ４０６６には、同一の文字コードデータに対して３つの大きさ（小、中、大）の文字パターンデータが格納されており、「フォント」キー６０５の操作によって指定された大きさの文字パターンデータを展開する。
【００４１】
　展開された個々の文字パターンデータは、ＣＰＵ部４０９の制御により、表示すべき位置になるように、メモリカード表示メモリ４０６２に表示データとして格納される。また、「フォント」キー６０５が操作されたとき、表示中の文字についても、指定された大きさの文字パターンデータがメモリカード表示メモリ４０６２に展開され、再表示される。
【００４２】
　「配置」キー６０６は、再生すべき表示文字の配置を、水平位置に関して変更することができる。「配置」キー６０６を操作する毎に、図５に示したように、再生表示すべき文字の配置の水平位置に関する配置が、「左揃え」から「中央揃え」へ、「中央揃え」から「右揃え」へ、「右揃え」から「左揃え」へと変更される。ＣＰＵ部４０９は、読み込んだ文字コードデータについて、一文字ずつ文字フォントＲＯＭ４０６６の格納データを使って、対応する文字パターンデータに展開した表示データを、表示すべき位置になるように、メモリカード表示メモリ４０６２に格納するとき、「配置」キー６０６の操作で指定された水平位置に関する配置で表示データが表示されるように格納するようになっている。表示中のものについても、指定された水平位置に関する配置で再表示される。
【００４３】
　「行間」キー６０７は、再生表示する文字の垂直位置に関する行間を変更することができる。「行間」キー６０７を操作する毎に、図６に示すように、再生表示する文字の垂直位置に関する行間が、「１行」から「１．５行」へ、「１．５行」から「２行」へ、「２行」から「１行」へと変更される。ＣＰＵ部４０９は、読み込んだ文字コードデータについて、一文字ずつ文字フォントＲＯＭ４０６６の格納データを使って、対応する文字パターンデータに展開した表示データを、表示すべき位置になるように、メモリカード表示メモリ４０６２に格納するとき、「行間」キー６０７の操作で指定された垂直位置に関する行間で表示されるように格納するようになっている。表示中のものについても、指定された垂直位置に関する行間で再表示される。
【００４４】
　「壁紙」キー６０９は、再生する表示文字の表示色、及び壁紙表示を変更することができる。「壁紙」キー６０９を操作する毎に、図７に示すように、再生表示する文字の表示色および壁紙表示が、「その１」から「その２」へ、「その２」から「その３」へ、「その３」から「その４」へと変更される。簡単のため、ここでは４つのパターンが用意されているものとしたが、壁紙ＲＯＭ４０６７のメモリ容量が許す限り、そのパターン数を増やすことができる。
【００４５】
　ＣＰＵ部４０９は、メモリカード表示信号生成回路４０６５を制御して、再生表示する文字の表示色を変更することができるようになっている。また、ＣＰＵ部４０９は、数種類の壁紙表示パターンデータが格納されている壁紙ＲＯＭ４０６７から読み込んだ所定の壁紙表示パターンデータで、壁紙メモリ４０６３の格納データを更新することにより、壁紙表示を変更できるようになっている。従って、「壁紙」キー６０９の操作で指定された文字の表示色、及び壁紙表示パターンで再生表示されるように、ＣＰＵ部４０９は、メモリカード表示信号生成回路４０６５の制御と、壁紙メモリ４０６３の格納データの更新を行う。表示中のものについても、この指定された再生する表示文字の表示色及び壁紙表示で再表示される。
【００４６】
　「ポインタ」キー６１０は、図８に示すようなパターンのポインタを表示することができる。簡単のため、ここでは２種類のポインタパターン６０９１，６０９２が用意されているものとしたが、ポインタパターンは、ＣＰＵ部４０９に用意されるため、ＣＰＵ部４０９のメモリ容量が許す限り、そのパターン数を増やすことができる。
【００４７】
　通常は、ポインタが表示されない状態を示すパターン６０９０であるが、「ポインタ」キー６１０を操作する毎に、パターン６０９０からポインタパターン６０９１へ、ポインタパターン６０９１からポインタパターン６０９２へ、ポインタパターン６０９２からポインタパターン６０９０へとポインタのパターンを変えることができる。また、ポインタが表示されている状態であれば、上下左右キー６１５乃至６１８（「上」キー６１５、「左」キー６１６、「右」キー６１７、「下」キー６１８）を操作して、ポインタの表示位置を目的の表示位置へ移動させることもできる。
【００４８】
　ＣＰＵ部４０９は、リモコン６の「ポインタ」キー６１０が操作されると、ポインタメモリ４０６４のパターンデータを、操作に応じたパターンデータで更新し、上下左右キー６１５乃至６１８が操作されると、ポインタメモリ４０６４の位置データを、操作に応じた位置データで更新する。メモリカード表示信号生成回路４０６５は、ポインタメモリ４０６４の格納データを引き出し、ポインタ表示も含めた表示信号を生成するようになっているため、ＣＰＵ部４０９がポインタメモリ４０６４の格納データを更新することにより、ポインタ表示の形状や位置を変更することができる。
【００４９】
　「下ページ」キー６１３は、再生表示対象となっているテキストファイルデータの表示ページを、後方のページに切り替えることができる。ページとは、文字データを一度に全て表示することができない場合において、表示可能な範囲で分割しながら表示する際の分割範囲のことである。従って、再生表示対象となっているテキストファイルデータの文字データを、一度に全て表示できる場合は無効となり、表示ページの後方に文字データがない場合も無効となる。
【００５０】
　ＣＰＵ部４０９は、表示ページに対応する文字データの後方に文字データがある場合、後方のページ分の文字データについて、一文字ずつ文字フォントＲＯＭ４０６６の格納データを使って、対応する文字パターンデータに展開した表示データを、表示すべき位置になるように、メモリカード表示メモリ４０６２に格納する。
【００５１】
　「上ページ」キー６１１は、「下ページ」キー６１３の動作とは逆に、再生表示対象となっているテキストファイルデータの表示ページを、前方のページに切り替えることができる。従って、再生表示対象となっているテキストファイルデータの文字データを一度に全て表示できる場合は無効となり、表示ページの前方に文字データがない場合も無効となる。
【００５２】
　ＣＰＵ部４０９は、表示ページに対応する文字データの前方に文字データがある場合、前方のページ分の文字データについて、一文字ずつ文字フォントＲＯＭ４０６６の格納データを使って、対応する文字パターンデータに展開した表示データを、表示すべき位置になるように、メモリカード表示メモリ４０６２に格納する。
【００５３】
　「次スライド」キー６１２は、再生表示対象となっているテキストファイルデータの文字データを意図的にスライド分割している場合において、その表示スライドを後方のスライドに変更することができる。従って、再生表示対象となっているテキストファイルデータの文字データが意図的にスライド分割されていない場合は無効となる。本実施の形態では、スライド分割キーワードとして「／Ｓ」の連続した二文字を設置することにする。よって、オペレータは、テキストファイルデータの中に、このキーワード「／Ｓ」を挿入しておくことにより、意図的にスライド分割をすることができる。
【００５４】
　意図的に分割されたスライドとは、テキストファイルデータの先頭からスライド分割キーワード「／Ｓ」の二文字が現われるまでと、スライド分割キーワード「／Ｓ」の二文字が現れてから、再びスライド分割キーワード「／Ｓ」の二文字が現われるまでと、スライド分割キーワード「／Ｓ」の二文字が現れてからテキストファイルデータの最後までのそれぞれの範囲を示すのもであり、そのスライド範囲内の文字データ毎に、表示対象となる文字データを切り替えることが可能になる。その意図的に分割されたスライド内の文字データを一度に表示することができない場合は、「上ページ」キー６１１と「下ページ」キー６１３も有効となり、意図的に分割されたスライド内でページ表示することもできる。
【００５５】
　表示スライドがもっとも後方のスライドである場合は無効となる。従って、ＣＰＵ部４０９は、次のスライド範囲の文字データとして、表示スライド後方の文字データを読み込むとき、スライド分割キーワード「／Ｓ」の二文字が記録されている位置か、又はテキストファイルデータの最後の位置まで読み込み、それらに対応する文字パターンデータに展開した表示データを、スライド内での表示すべき位置になるように、メモリカード表示メモリ４０６２に格納する。
【００５６】
　「前スライド」キー６１４は、「次スライド」キー６１２の動作とは逆に、再生表示対象となっているテキストファイルデータの文字データを意図的にスライド分割している場合において、その表示スライドを前方のスライドに変更することができる。表示スライドがもっとも前方のスライドである場合は無効となる。従って、ＣＰＵ部４０９は、次のスライド範囲の文字データとして、表示スライド前方の文字データを読み込むとき、スライド分割キーワード「／Ｓ」の二文字が記録されている位置か、又はテキストファイルデータの先頭の位置まで読み込み、それらに対応する文字パターンデータに展開した表示データを、スライド内での表示すべき位置になるように、メモリカード表示メモリ４０６２に格納する。
【００５７】
　「自動再生」キー６０８は、「次スライド」キー６１２を操作することなく、自動的に表示スライドを一定間隔で切り替えることができる。従って、再生表示対象となっているテキストファイルデータの文字データが意図的にスライド分割されていない場合は無効となる。上述した「次スライド」キー６１２を操作した場合と同様の動作が、一定間隔で自動的に実行されることになる（以下、自動再生という）。「自動再生」キー６０８を一度操作すると、その状態から１０秒間隔の自動再生が開始される。「自動再生」キー６０８を続けて操作する毎に、その間隔が１０秒ずつ増える。また「自動再生」キー６０８以外のキーを操作することで、自動再生は解除される。
【００５８】
　「自動再生」キー６０８が操作されると、ＣＰＵ部４０９は、時計回路４１０から常に一定の間隔で割り込み信号が入ってくるように時計回路４１０を設定する。設定間隔としては、「自動再生」キー６０８の操作回数によるオペレータからの要求時間を設定する。時計回路４１０は、設定された間隔時間を経過する毎に割り込み信号をＣＰＵ部４０９に送信する。割り込み信号を受信したＣＰＵ部４０９は、再生表示対象になっているテキストファイルデータについて、次のスライド内の文字データを読み込み、それらに対応する文字パターンデータに展開した表示データを、スライド内での表示すべき位置になるように、メモリカード表示メモリ４０６２に格納する。
【００５９】
　従って、設定した間隔時間を経過する度に、この動作が繰り返し行われる。但し、最後のスライドまで表示された後は、再度、先頭のスライド内の文字データを読み込み、それらに対応する文字パターンデータに展開した表示データを、スライド内での表示すべき位置になるように、メモリカード表示メモリ４０６２に格納する。また、この自動再生中に、リモコン６の「自動再生」キー６０８以外のキーが操作されたところで、ＣＰＵ部４０９は、時計回路４１０から、一定間隔の割り込み信号が発生しないように、時計回路４１０を設定する。
【００６０】
　また、「フォント」キー６０５と、「配置」キー６０６と、「行間」キー６０７と、「壁紙」キー６０９と、「ポインタ」キー６１０を操作することによって変更された各パラメータは、ＰＪ４の電源を切っても、個々のテキストファイルデータ毎に保持することができるようになされている。ＣＰＵ部４０９は、この５つのキー操作が行われた後、メモリカード制御回路４０６１の書き込み動作により、その変更パラメータを再生表示対象であるテキストファイルデータに対する情報として、メモリカード５の所定の記憶領域に記録する。
【００６１】
　上記実施の形態においては、次のような効果を得ることができる。第１の効果は、従来のようにパソコンを使用することなく、簡易的な電子プレゼンテーションを行うことができるということである。従って、テキストファイルデータを記録したメモリカードだけを持っていれば、パソコンを持ち運ぶ必要がなくなり、持ち運びの負担が減ることもさることながら、パソコンとプロジェクタなどの表意装置との接続などの設置作業も軽減される。その理由は、上記実施の形態においては、映像表示装置（ＰＪ）４に、事前にメモリカードに記録されたテキストファイルデータを再生表示できる手段を設けたからである。
【００６２】
　第２の効果は、従来のようにパソコンを使用した場合に比べて、素早く電子プレゼンテーションに入ることができるということである。このため、特に訪問先などで迅速な電子プレゼンテーションが要求される場合などや、複数のオペレータがそれぞれ異なる資料で異なる電子プレゼンテーションを交代で行う場合などにおいて、メモリカード５を差し替えるだけで、直ちに電子プレゼンテーションに入ることができる。その理由は、着脱可能なメモリカード５を本発明の映像表示装置に挿入するだけで、直ちにテキストファイルデータの再生表示を開始することができるようにしているからである。
【００６３】
　第３の効果は、再生表示する資料（テキストファイルデータ）が作成しやすいということである。従って、短時間で電子プレゼンテーションに使用する資料が作成できるとともに、パソコン初心者も資料を作成することができることなどから、気軽に電子プレゼンテーションを行うことができる。その理由は、もっとも一般的で簡単に作成できるテキストファイル形式のファイルデータを再生表示する手段を、映像表示装置４に設けたからである。
【００６４】
　第４の効果は、メモリカード５のテキストファイルデータを自動的に再生表示できるということである。従って、映像表示装置４とテキストファイルデータの記録されたメモリカード５があれば、簡単な構成で映像による店頭広告表示などを行うことができる。その理由は、メモリカード５のテキストファイルデータについて、意図的に分割したスライド単位で自動的に順次再生表示する手段を映像表示装置４に設けたからである。
【００６５】
　なお、上記実施の形態においては、本発明の表示制御装置を、電子プレゼンテーションの映像表示装置として最も一般的なプロジェクタ装置に応用する場合について説明したが、映像表示装置の方式に関係なく、テレビジョン装置やモニタ装置などといった映像表示装置であっても、メモリカード再生装置４０６を内蔵するようにすれば、プロジェクタ装置の場合と同様の効果が得られる。
【００６６】
　また、上記実施の形態においては、メモリカード５に複数のテキストファイルデータが格納されている場合の再生表示順序については、記録時刻の新しいものから順に再生表示するようにしたが、テキストファイルデータ名を一覧表示した状態で再生表示順序を編集する手段を設け、その編集結果に従った順序で再生表示するようにすることもできる。
【００６７】
　例えば、リモコン６が、テキストファイルデータ名を一覧表示できる表示部とそのための機能を備えるようにし、その機能のオン／オフを選択できる「一覧」キーを設け、オペレータが「一覧」キーを操作することにより、一覧表示機能を選択すると、まず、図９（ａ）に示したように、再生表示順序をテキストファイルデータ名で表示部に一覧表示させる。再生表示順序を一度も編集していなければ、記録時刻の降順に一覧表示されることになる。
【００６８】
　ここで、上下左右キー６１５乃至６１８を操作して、再生表示順序を変更したいテキストファイルデータ名を選択する（いまの場合、ＧＧＧＧＧＧＧ．ＴＸＴを選択する）。次に、「前ファイル」キー６０３、或いは、「次ファイル」キー６０４を操作して、再生表示順序を変更する。即ち、「前ファイル」キー６０３を操作すると、いま選択されているテキストファイルデータの再生表示順序が前方へ移動し、「次ファイル」キー６０４を操作すると後方へ移動する。例えば、「前ファイル」キー６０３を６回だけ繰り返し操作することにより、図９（ｂ）に示すように、テキストファイルデータ（ＧＧＧＧＧＧＧ．ＴＸＴ）を最初に移動させることができる。
【００６９】
　必要に応じてこの操作を繰り返し、編集が終了したならば、再度、「一覧」キーを操作することにより、通常状態へ復帰すると同時に、ＣＰＵ部４０９は、オペレータが編集した再生表示順序をメモリカード制御回路４０６１の書き込み動作により、メモリカード５の所定の記憶領域に書き込み、記憶させる。これにより、以後、その情報に従って、テキストファイルデータの再生表示を行うことにより、記録時刻に関係なく、任意の順序でテキストファイルデータを再生することができるようになる。
【００７０】
　また、上記実施の形態においては、表示信号切替回路４０７は、表示信号生成回路４０５とメモリカード表示信号生成回路４０６５から供給される表示信号を切り替えて、映像表示部４０８へ供給するように動作すると説明したが、どちらか一方の表示映像の範囲内の所定の領域に、他方の表示映像を表示して、双方の表示映像を同時に表示する表示信号にして、映像表示部４０８へ供給するようにすることもできる。
【００７１】
　例えば、表示信号切替回路４０７において、映像表示部４０８へ供給する表示信号として、表示信号生成回路４０５から供給される表示信号とメモリカード表示信号生成回路４０６５から供給される表示信号を高速に切り替えることを可能にしておく。そして、メモリカード表示信号生成回路４０６５から供給される表示信号において、文字表示領域である場合には、そのままメモリカード表示信号生成回路４０６５から供給される表示信号を映像表示部４０８へ供給し、文字表示の背面すなわち文字表示部分以外の表示領域である場合には、表示信号生成回路４０５から供給される表示信号を映像表示部４０８へ供給できるようにしておく。これにより、メモリカード表示信号生成回路４０６５から供給される表示信号を表示すると同時に、その文字表示部分以外の表示領域については、表示信号
生成回路４０５から供給される表示信号を表示することができる。
【００７２】
　また、上記実施の形態においては、オペレータがリモコン６を使ってポインタ表示を移動させる手段として、上下左右キー６１５乃至６１８を用いる場合について説明したが、より操作性を向上させるために、トラックボールをリモコン６に設けるようにし、トラックボールを用いてポインタ表示を移動させるようにすることも可能である。
【００７３】
　また、上記実施の形態において、メモリカード表示メモリ４０６２が記憶する表示データを更新するとき、更新していく順序やその時間差を変更する手段を設けるようにし、表示効果をつけるようにすることもできる。
【００７４】
　また、上記実施の形態において、メモリカード表示メモリ４０６２が記憶する表示データを更新するタイミングで、サウンドデータを再生する手段を設けるようにすることもできる。
【００７５】
　また、上記実施の形態においては、テキストファイルデータの記録媒体として、メモリカード５を用いる場合について説明したが、これに限定されるものではなく、着脱可能な記録媒体であれば、メモリカード制御回路４０６１をその記録媒体に対して読み書きができる回路に置き換えることにより、メモリカード５の場合と同様の効果を得ることができる。
【００７６】
　また、上記実施の形態においては、意図的に分割されたスライド範囲で順次再生表示が行われるように、「／Ｓ」という連続した二文字をスライド分割キーワードとしてテキストファイルデータ内に挿入するようにしたが、例えば、特定範囲の文字フォント指定や文字ブリンク指定など、テキストファイルデータの作成のし易さという特性を崩さない程度に、再生表示効果を表現できるキーワードを増やすこともできる。
【００７７】
　また、上記実施の形態においては、自動再生とは、１つのテキストファイルデータの中で指定された複数のスライド範囲で、順次再生表示が繰り返し行われるものとしたが、メモリカード５に記録された複数のテキストファイルデータを順次再生表示し、かつ個々のテキストファイルデータに指定されたスライド範囲があれば、それも順次再生表示するようにすることもできる。
【００７８】
　なお、上記実施の形態の構成及び動作は例であって、本発明の趣旨を逸脱しない範囲で適宜変更することができることは言うまでもない。
【図面の簡単な説明】
【００７９】
【図１】本発明の表示制御装置を応用した電子プレゼンテーションシステムの一実施の形態の構成例を示すブロック図である。
【図２】図１の映像表示装置４の詳細な構成例を示すブロック図である。
【図３】図１のリモコン６の構成例を示す外観図である。
【図４】フォントの大きさが切り替わる様子を示す図である。
【図５】文字列の配置方法が切り替わる様子を示す図である。
【図６】文字列の行間が切り替わる様子を示す図である。
【図７】壁紙が切り替わる様子を示す図である。
【図８】ポインタの形状が切り替わる様子を示す図である。
【図９】テキストファイルデータの再生表示順序を編集する方法を示す図である。
【図１０】従来の電子プレゼンテーションシステムの構成例を示す図である。
【符号の説明】
【００８０】
　１　パソコン
　２　映像表示装置
　３　スクリーン
　４　映像表示装置（ＰＪ）
　５　メモリカード
　６　リモコン
　４０２　映像入力端子
　４０３　入力映像信号処理回路
　４０４　画像メモリ
　４０５　表示信号生成回路
　４０６　メモリカード再生装置
　４０７　表示信号切替回路
　４０８　映像表示部
　４０９　ＣＰＵ部
　４１０　時計回路
　４１１　メモリ制御回路
　４１２　リモコン受信回路
　４１３　制御バス
　４１４　データバス
　６０１　「電源」キー
　６０２　「入力切替」キー
　６０３　「前ファイル」キー
　６０４　「次ファイル」キー
　６０５　「フォント」キー
　６０６　「配置」キー
　６０７　「行間」キー
　６０８　「自動再生」キー
　６０９　「壁紙」キー
　６１０　「ポインタ」キー
　６１１　「上ページ」キー
　６１２　「次スライド」キー
　６１３　「下ページ」キー
　６１４　「前スライド」キー
　６１５　「上」キー
　６１６　「左」キー
　６１７　「右」キー
　６１８　「下」キー
　４０６０　メモリカード挿入口
　４０６１　メモリカード制御回路
　４０６２　メモリカード表示メモリ
　４０６３　壁紙メモリ
　４０６４　ポインタメモリ
　４０６５　メモリカード表示信号生成回路
　４０６６　文字フォントＲＯＭ
　４０６７　壁紙ＲＯＭ
　４０６８　メモリカード検知回路
【図１】
2004139073.tif 000003
【図２】
2004139073.tif 000004
【図３】
2004139073.tif 000005
【図４】
2004139073.tif 000006
【図５】
2004139073.tif 000007
【図６】
2004139073.tif 000008
【図７】
2004139073.tif 000009
【図８】
2004139073.tif 000010
【図９】
2004139073.tif 000011
【図１０】
2004139073.tif 000012